(57)【要約】【課題】許容記録線速度よりも速い線速度で回転させた状態で記録データを記録した既記録領域に煩雑な処理を行うことなく他の記録データを上書き記録する。【解決手段】許容記録線速度よりも速い第１の線速度で回転させられた状態で記録データが記録された第１の既記録領域に他の記録データを上書き記録するときに、第１の線速度で回転させた状態で最適記録条件取得処理用領域（ＯＰＣエリア）に最適記録条件取得処理用の記録データを記録した後に（ステップ２０）、許容記録線速度以下の第２の線速度で回転させた状態で最適記録条件取得処理（ＯＰＣ処理）を実行して第１の既記録領域に他の記録データを上書き記録する際のレーザービームの上書き記録用パワーを取得すると共に（ステップ２１）、第２の線速度で回転させた状態で上書き記録用パワーに調整したレーザービームを照射して記録マークを形成する（ステップ２２）。【選択図】図５
2010118127.tif 000002
【特許請求の範囲】
【請求項１】
書換え型の光記録媒体を回転させた状態でレーザービームを照射して当該光記録媒体に記録マークを形成して記録データを記録するデータ記録方法であって、
前記光記録媒体に対して規定されている許容記録線速度よりも速い第１の線速度で回転させられた状態で前記記録データが記録された第１の既記録領域に他の前記記録データを上書き記録するときに、当該第１の線速度で回転させた状態で当該光記録媒体における最適記録条件取得処理用領域に最適記録条件取得処理用の前記記録データを記録した後に、前記許容記録線速度以下の第２の線速度で前記光記録媒体を回転させた状態で最適記録条件取得処理を実行して前記第１の既記録領域に前記他の記録データを上書き記録するときに前記記録マークを形成する際の前記レーザービームの上書き記録用パワーを取得すると共に、前記第２の線速度で前記光記録媒体を回転させた状態で前記上書き記録用パワーに調整した前記レーザービームを当該光記録媒体に照射して前記記録マークを形成するデータ記録方法。
【請求項２】
前記上書き記録用パワーに調整した前記レーザービームの照射によって前記記録マークを形成して前記記録データを上書き記録した第２の既記録領域に他の前記記録データを上書き記録するときに、前記第２の線速度で前記光記録媒体を回転させた状態で前記上書き記録用パワーに調整した前記レーザービームを当該光記録媒体に照射して前記記録マークを形成する請求項１記載のデータ記録方法。
【請求項３】
前記第２の線速度で回転させた状態で前記光記録媒体における未記録領域に前記記録データを記録するとき、および当該第２の線速度で回転させた状態で当該未記録領域に前記記録データが記録された第３の既記録領域に当該第２の線速度で回転させた状態で前記他の記録データを上書き記録するときに、当該第２の線速度で回転させた状態で前記最適記録条件取得処理を実行して当該光記録媒体を当該第２の線速度で回転させた状態で前記記録マークを形成する際の前記レーザービームの最適記録パワーを取得すると共に、当該取得した最適記録パワーに調整した前記レーザービームを当該光記録媒体に照射して前記記録マークを形成する請求項１または２記載のデータ記録方法。
【請求項４】
書換え型の光記録媒体を回転させる回転機構と、前記光記録媒体にレーザービームを照射するピックアップと、前記回転機構を制御して前記光記録媒体を回転させると共に前記ピックアップを制御して前記レーザービームを照射させて当該光記録媒体に記録マークを形成して記録データを記録するデータ記録装置であって、
前記制御部は、前記光記録媒体に対して規定されている許容記録線速度よりも速い第１の線速度で回転させられた状態で前記記録データが記録された第１の既記録領域に他の前記記録データを上書き記録するときに、前記回転機構を制御して当該第１の線速度で回転させた状態で当該光記録媒体における最適記録条件取得処理用領域に最適記録条件取得処理用の前記記録データを記録した後に、当該回転機構を制御して前記許容記録線速度以下の第２の線速度で前記光記録媒体を回転させた状態で最適記録条件取得処理を実行して前記第１の既記録領域に前記他の記録データを上書き記録するときに前記記録マークを形成する際の前記レーザービームの上書き記録用パワーを取得すると共に、当該回転機構を制御して前記第２の線速度で前記光記録媒体を回転させた状態で前記ピックアップを制御して前記上書き記録用パワーに調整させた前記レーザービームを当該光記録媒体に照射させて前記記録マークを形成するデータ記録装置。
【発明の詳細な説明】
【技術分野】
【０００１】
本発明は、書換え型の光記録媒体に記録データを記録するデータ記録方法およびデータ記録装置に関するものである。
【背景技術】
【０００２】
この種のデータ記録方法として、リライタブルＤＶＤ等の書換型光記録媒体に記録データを記録する光記録方法（以下、単に「記録方法」ともいう）が特開２００４−２０６８６６号公報に開示されている。この場合、書換型光記録媒体では、上記公報に開示されているように、上書き記録時（記録データの書き換え時）に既記録データを構成する記録マークの消し残りが生じることのないように、記録線速度の上限値（許容記録線速度）が規定されている。したがって、書換型光記録媒体では、上書き記録されることのない追記型光記録媒体と比較して、規定されている許容記録線速度が低速となっており、これに起因して、記録データの高速記録が困難となっている。一方、上記公報に開示されている記録方法では、書換型光記録媒体を追記型光記録媒体として使用して、その際に、規定されている許容記録線速度よりも速い線速度で回転させた状態で記録データを記録することにより、記録データの高速記録を実現している。
【０００３】
具体的には、従来の記録方法では、書換型光記録媒体に対して規定されている許容記録線速度以下の線速度で書換型光記録媒体を回転させた状態で記録データを記録するときには、書換型光記録媒体に対する通常の記録方法と同様にして、１つの記録マークを形成するために照射するレーザービームの記録パルスを複数の短パルスからなるパルス列とする。これにより、記録マークの形成部位が十分に温度上昇させられた後に急冷されて記録マーク（非晶質マーク）が形成される。この場合、許容記録線速度よりも速い線速度で書換型光記録媒体を回転させている状態においてレーザービームをパルス列状に照射したときには、記録層を十分に温度上昇させることができないため、記録マークの形成が困難となる。したがって、従来の記録方法では、規定されている許容記録線速度よりも速い線速度で回転させた状態で記録データを記録するときには、１つの記録マークを形成するために照射するレーザービームの記録パルスを１つのブロックパルスとする（未記録領域に記録データを記録する際に書換型光記録媒体を追記型光記録媒体として使用する形態）。これにより、照射するレーザービームによって記録層を十分に温度上昇させた後に急冷することができる結果、許容記録線速度よりも速い線速度で書換型光記録媒体を回転させた状態においても記録マーク（非晶質マーク）を形成することが可能となる。この結果、追記型光記録媒体の通常の使用形態よりも記録データを高速記録することが可能となる。
【特許文献１】特開２００４−２０６８６６号公報（第１１−４７頁、第１図）
【発明の開示】
【発明が解決しようとする課題】
【０００４】
ところが、従来の記録方法には、以下の問題点がある。すなわち、従来の記録方法では、許容記録線速度よりも速い線速度で書換型光記録媒体を回転させた状態で記録データを記録するときにブロックパルス状のレーザービームを照射して記録マークを形成することにより、書換型光記録媒体に対する記録データの高速記録を実現している。この場合、図９に示すように、発明者は、書換え型の光記録媒体を許容記録線速度よりも速い線速度で回転させた状態でブロックパルス状のレーザービームを照射して形成した記録マークＭｂ１，Ｍｂ２等（以下、区別しないときには「記録マークＭｂ」ともいう）における光記録媒体の半径方向（同図における上下方向）に沿った幅Ｗｂが、許容記録線速度以下の線速度で回転させた状態でパルス列状のレーザービームを照射して形成した記録マークＭａ１，Ｍａ２等（以下、区別しないときには「記録マークＭａ」ともいう）の幅Ｗａよりも広くなる現象が生じるのを見出した。このため、従来の記録方法に従って許容記録線速度よりも速い線速度で回転させた状態でブロックパルス状のレーザービームを照射して記録データを記録した既記録領域（記録マークＭｂが形成されている領域）に対して書換型光記録媒体に対する通常の記録方法に従って他の記録データを上書き記録したとき（記録マークＭｂが形成されている領域に記録マークＭａを形成したとき）には、同図における下図に示すように、幅Ｗａの記録マークＭａ、幅Ｗｂの記録マークＭｂ、および長さ方向の一部が幅Ｗｂで他の一部が幅Ｗａの記録マーク（図示せず）などの各種の記録マークが混在した状態となる。
【０００５】
より具体的には、図９に示すように、上書き記録に際して、記録マークＭｂが存在しない部位に対しては、通常の記録方法で記録マークＭａを形成したときと同様にして、幅Ｗａの記録マークＭａを形成することができる。これに対して、既記録領域に形成されている記録マークＭｂに重ねるようにして記録マークＭａを形成したときには、記録マークＭｂの幅Ｗｂが記録マークＭａの幅Ｗａよりも広いため、記録マークＭａを形成したにも拘わらず、結果的には幅Ｗｂの記録マークＭｂが残存したのと同様の状態となる。なお、同図では、従来の記録方法についての理解を容易とするために、記録マークＭｂ１に重ねて記録マークＭａ１を形成した状態、記録マークＭｂ１，Ｍｂ２等が存在しない部位に記録マークＭａ１を形成した状態、記録マークＭｂ２に重ねて記録マークＭａ２を形成した状態、および記録マークＭｂ１，Ｍｂ２等が存在しない部位に記録マークＭａ２を形成した状態の４つの状態を図示しているが、実際には、例えば、記録マークＭｂ１に重なるようにして記録マークＭａ２が形成された状態や、記録マークＭｂ２のうちの消去されずに残った一部に重なるようにして記録マークＭａ１が形成された状態などの各種の状態が存在する。
【０００６】
このため、従来の記録方法に従って既記録領域に他の記録データを上書き記録した場合には、上書き記録した既記録領域内の各記録マークの幅や、１つの記録マークにおける回転方向の各部の幅にばらつきが生じることに起因して、ジッタの悪化を招く（ジッタの値が大きくなる）こととなる。したがって、従来の記録方法に従って許容記録線速度よりも速い線速度で回転させた状態で記録データを記録した場合には、書換型光記録媒体であるにも拘わらず、そのままの状態（既記録領域が存在する状態）において他の記録データを上書きすることができず、例えば、他の記録データの記録に先立って、既記録領域を初期化する（記録マークＭｂを消去するようにして記録層を再結晶化する）処理を実行する必要がある。このため、従来の記録方法には、既記録領域が存在する書換型光記録媒体を書換型光記録媒体として通常に使用する際の処理（初期化処理）が非常に煩雑であるという問題点がある。
【０００７】
本発明は、かかる問題点に鑑みてなされたものであり、許容記録線速度よりも速い線速度で回転させた状態で記録データを記録した書換え型の光記録媒体の既記録領域に対して煩雑な処理を実行することなく他の記録データを上書き記録し得るデータ記録方法およびデータ記録装置を提供することを主目的とする。
【課題を解決するための手段】
【０００８】
上記目的を達成すべく本発明に係るデータ記録方法は、書換え型の光記録媒体を回転させた状態でレーザービームを照射して当該光記録媒体に記録マークを形成して記録データを記録するデータ記録方法であって、前記光記録媒体に対して規定されている許容記録線速度よりも速い第１の線速度で回転させられた状態で前記記録データが記録された第１の既記録領域に他の前記記録データを上書き記録するときに、当該第１の線速度で回転させた状態で当該光記録媒体における最適記録条件取得処理用領域に最適記録条件取得処理用の前記記録データを記録した後に、前記許容記録線速度以下の第２の線速度で前記光記録媒体を回転させた状態で最適記録条件取得処理を実行して前記第１の既記録領域に前記他の記録データを上書き記録するときに前記記録マークを形成する際の前記レーザービームの上書き記録用パワーを取得すると共に、前記第２の線速度で前記光記録媒体を回転させた状態で前記上書き記録用パワーに調整した前記レーザービームを当該光記録媒体に照射して前記記録マークを形成する。
【０００９】
この場合、本明細書における第１の線速度は、許容記録線速度よりも速い任意の線速度を意味し、本発明における第２の線速度は、許容記録線速度以下の任意の線速度を意味する。また、各処理時や各記録時における各第１の線速度は、必ずしも同一の線速度である必要はなく、異なる線速度であってもよい。同様にして、各処理時における各第２の線速度は、必ずしも同一の線速度である必要はなく、異なる線速度であってもよい。例えば、上記の発明では、上記の第１の既記録領域に記録データが記録されたときの第１の線速度と、最適記録条件取得処理用領域に最適記録条件取得処理用の記録データを記録するときの第１の線速度とは、互いに同一の線速度である必要はなく、両第１の線速度が許容記録線速度よりも早い限り、互いに相違する線速度であってもよい。また、上記の最適記録条件取得処理を実行する際の第２の線速度と、第１の既記録領域に他の記録データを上書き記録するとき（上書き記録用パワーに調整したレーザービームを照射して記録マークを形成するとき）の第２の線速度とは、互いに同一の線速度である必要はなく、両第２の線速度が許容記録線速度以下である限り、互いに相違する線速度であってもよい。さらに、複数枚の光記録媒体に記録データを上書き記録するときや、１枚の光記録媒体に複数回に亘って記録データを上書き記録するときに、対応する各記録時や各処理時における第１の線速度や、対応する各処理時における第２の線速度が毎回異なる線速度であってもよい。
【００１０】
また、本発明に係るデータ記録方法は、前記上書き記録用パワーに調整した前記レーザービームの照射によって前記記録マークを形成して前記記録データを上書き記録した第２の既記録領域に他の前記記録データを上書き記録するときに、前記第２の線速度で前記光記録媒体を回転させた状態で前記上書き記録用パワーに調整した前記レーザービームを当該光記録媒体に照射して前記記録マークを形成する。
【００１１】
さらに、本発明に係るデータ記録方法は、前記第２の線速度で回転させた状態で前記光記録媒体における未記録領域に前記記録データを記録するとき、および当該第２の線速度で回転させた状態で当該未記録領域に前記記録データが記録された第３の既記録領域に当該第２の線速度で回転させた状態で前記他の記録データを上書き記録するときに、当該第２の線速度で回転させた状態で前記最適記録条件取得処理を実行して当該光記録媒体を当該第２の線速度で回転させた状態で前記記録マークを形成する際の前記レーザービームの最適記録パワーを取得すると共に、当該取得した最適記録パワーに調整した前記レーザービームを当該光記録媒体に照射して前記記録マークを形成する。
【００１２】
また、本発明に係るデータ記録装置は、書換え型の光記録媒体を回転させる回転機構と、前記光記録媒体にレーザービームを照射するピックアップと、前記回転機構を制御して前記光記録媒体を回転させると共に前記ピックアップを制御して前記レーザービームを照射させて当該光記録媒体に記録マークを形成して記録データを記録するデータ記録装置であって、前記制御部が、前記光記録媒体に対して規定されている許容記録線速度よりも速い第１の線速度で回転させられた状態で前記記録データが記録された第１の既記録領域に他の前記記録データを上書き記録するときに、前記回転機構を制御して当該第１の線速度で回転させた状態で当該光記録媒体における最適記録条件取得処理用領域に最適記録条件取得処理用の前記記録データを記録した後に、当該回転機構を制御して前記許容記録線速度以下の第２の線速度で前記光記録媒体を回転させた状態で最適記録条件取得処理を実行して前記第１の既記録領域に前記他の記録データを上書き記録するときに前記記録マークを形成する際の前記レーザービームの上書き記録用パワーを取得すると共に、当該回転機構を制御して前記第２の線速度で前記光記録媒体を回転させた状態で前記ピックアップを制御して前記上書き記録用パワーに調整させた前記レーザービームを当該光記録媒体に照射させて前記記録マークを形成する。
【発明の効果】
【００１３】
本発明に係るデータ記録方法およびデータ記録装置によれば、許容記録線速度よりも速い第１の線速度で回転させられた状態で記録データが記録された第１の既記録領域に他の記録データを上書き記録するときに、第１の線速度で回転させた状態で光記録媒体における最適記録条件取得処理用領域に最適記録条件取得処理用の記録データを記録した後に、許容記録線速度以下の第２の線速度で光記録媒体を回転させた状態で最適記録条件取得処理を実行して第１の既記録領域に他の記録データを上書き記録するときに記録マークを形成する際のレーザービームの上書き記録用パワーを取得すると共に、第２の線速度で光記録媒体を回転させた状態で上書き記録用パワーに調整したレーザービームを光記録媒体に照射して記録マークを形成することにより、第１の線速度で回転させられた状態で記録データを記録したことで形成される記録マークの幅よりも幅広の記録マーク、または、同程度の幅の記録マークの形成によって記録データが上書き記録されるため、第１の線速度で回転させられた状態で記録データが記録されている領域（記録データが高速記録された領域）に対して、初期化処理等の煩雑な処理を実行することなく、しかも、ジッタの悪化を招くことなく記録データを上書き記録することができる。
【００１４】
また、本発明に係るデータ記録方法によれば、上書き記録用パワーに調整したレーザービームの照射によって記録マークを形成して記録データを上書き記録した第２の既記録領域に他の記録データを上書き記録するときに、第２の線速度で光記録媒体を回転させた状態で上書き記録用パワーに調整したレーザービームを光記録媒体に照射して記録マークを形成することにより、第２の既記録領域に形成されている記録マークと同じ幅の記録マークの形成によって記録データが上書き記録されるため、初期化処理等の煩雑な処理を実行することなく、しかも、ジッタの悪化を招くことなく第２の既記録領域に記録データを上書き記録することができる。
【００１５】
さらに、本発明に係るデータ記録方法によれば、第２の線速度で回転させた状態で光記録媒体における未記録領域に記録データを記録するとき、および第２の線速度で回転させた状態で未記録領域に記録データが記録された第３の既記録領域に第２の線速度で回転させた状態で他の記録データを上書き記録するときに、第２の線速度で回転させた状態で最適記録条件取得処理を実行して光記録媒体を第２の線速度で回転させた状態で記録マークを形成する際のレーザービームの最適記録パワーを取得すると共に、取得した最適記録パワーに調整したレーザービームを照射して記録マークを形成することにより、例えば、第２の線速度で回転させられた状態で記録データが記録された既記録領域に他の記録データを上書き記録するとき、および第２の線速度で回転させた状態で光記録媒体における未記録領域に記録データを記録するときにも上書き記録用パワーに調整したレーザービームを照射する方法および構成とは異なり、上書き記録用パワー以下の記録パワーに調整したレーザービームの照射によって記録マークを記録することができるときには、必要以上に大きな記録用パワーのレーザービームの照射を回避することができるため、光記録媒体に対する記録データの上書き記録回数を十分に高めることができる。
【発明を実施するための最良の形態】
【００１６】
以下、添付図面を参照して、本発明に係るデータ記録方法およびデータ記録装置の最良の形態について説明する。
【００１７】
最初に、記録再生装置１および光ディスク１００の構成について、図面を参照して説明する。
【００１８】
図１に示す記録再生装置１は、本発明に係るデータ記録装置に相当し、一例として、図示しないチューナやデコーダ等の外部装置と共に筐体内に配設されて光ディスクレコーダのディスクドライブ装置として機能する。なお、実際の光ディスクレコーダでは、上記のチューナやデコーダ、および記録再生装置１（ディスクドライブ装置）等を総括的に制御する主制御装置が存在し、この主制御装置の制御に従って記録再生装置１による記録データの記録再生処理が実行されるが、本発明についての理解を容易とするために、主制御装置による制御処理についての詳細な説明を省略すると共に、記録再生装置１以外の構成要素を総括して「外部装置」として以下に説明する。記録再生装置１は、回転機構２、移動機構３、ピックアップ４、制御部５および記憶部６を備え、後述するように、本発明に係るデータ記録方法に従って光ディスク１００に各種の記録データを記録可能に構成されている。回転機構２は、制御部５からの制御信号Ｓ１に従い、光ディスク１００を所定の回転速度（所定の線速度）で回転させる。移動機構３は、制御部５からの制御信号Ｓ２に従い、光ディスク１００の内周と外周との間においてピックアップ４を移動させる。
【００１９】
ピックアップ４は、制御部５からの制御信号Ｓ３に従い、光ディスク１００に向けてレーザービームＬａを照射すると共に、光ディスク１００によって反射された戻り光Ｌｂを受光して受光レベル信号Ｓ４を制御部５に出力する。制御部５は、記録再生装置１を総括的に制御する。具体的には、制御部５は、外部装置からの要求に従い、回転機構２を制御して記録データの記録または再生に適した線速度（回転速度）で光ディスク１００を回転させる。また、制御部５は、移動機構３を制御してピックアップ４を光ディスク１００における任意の領域の上方に移動させると共に、ピックアップ４を制御して記録データの記録または再生に適したパワーのレーザービームＬａを光ディスク１００に向けて照射させる。さらに、制御部５は、ピックアップ４から出力される受光レベル信号Ｓ４に対する各種信号処理を実行してディスク情報Ｄｄ、ファイル管理情報Ｄｆおよび記録データなどの各種のデータを抽出する。
【００２０】
また、制御部５は、後述するようにして、ＯＰＣ（Optimum Power Control）処理を実行し、記録データの通常記録時（本発明における第２の線速度で光ディスク１００を回転させた状態における記録データの記録時）に照射するレーザービームＬａの最適記録パワーＰ０Ａ，Ｐ１Ａ（図６，７参照）、記録データの高速記録時（本発明における第１の線速度で光ディスク１００を回転させた状態における記録データの記録時）に照射するレーザービームＬａの最適記録パワーＰ０Ｂ，Ｐ１Ｂ（図６，７参照）、および高速記録された記録データに他の記録データを上書き記録する際に照射するレーザービームＬａの最適記録パワーＰ０Ｃ，Ｐ１Ｃ（本発明における上書き記録用パワー：図６，７参照）を取得する。なお、上記のＯＰＣ処理については、後に詳細に説明する。記憶部６は、制御部５の動作プログラムＤ１、後述するデータ記録処理１０によって取得されるレーザービームＬａの照射パワーについての照射パワー情報Ｄ２、および光ディスク１００から読み出したディスク情報Ｄｄやファイル管理情報Ｄｆなどを記憶する。
【００２１】
一方、光ディスク１００は、本発明における書換え型の光記録媒体としての多層光記録媒体の一例であって、図２に示すように、Ｌ０層１２０、スペーサ層１３０、Ｌ１層１４０および表面保護層１５０が基材１１０の一面（同図における下面）にこの順で形成されて、相変化型の光記録媒体として構成されている。この光ディスク１００は、記録再生装置１によって矢印Ｌの向きでレーザービームＬａが照射されることで記録データの記録および再生が行われる構成が採用されている。基材１１０は、ポリカーボネート等の樹脂材料によって厚み１．１ｍｍ程度の円板状に形成されている。Ｌ０層１２０は、反射層１２１、保護層１２２ａ、Ｌ０記録層１２３および保護層１２２ｂが基材１１０の側からこの順で形成されて構成されている。この場合、反射層１２１は、一例として、ＡｇおよびＣｕを含む合金によって厚み６０ｎｍ程度に形成されている。また、保護層１２２ａ，１２２ｂは、一例として、ＺｎＳおよびＳｉＯ２を含む合金によって厚み１０ｎｍ〜４０ｎｍ程度に形成されている。さらに、Ｌ０記録層１２３は、一例として、Ｇｅ、ＳｂおよびＴｅ等を含む合金によって厚み１０ｎｍに形成されている。スペーサ層１３０は、紫外線硬化型の樹脂材料で厚み２５ｎｍ程度に形成されている。
【００２２】
Ｌ１層１４０は、反射層１４１、保護層１４２ａ、Ｌ１記録層１４３および保護層１４２ｂが基材１１０の側からこの順で形成されて構成されている。この場合、反射層１４１は、一例として、ＡｇおよびＣｕを含む合金によって厚み１０ｎｍ程度に形成されている。また、保護層１４２ａ，１４２ｂは、一例として、ＺｎＳおよびＳｉＯ２を含む合金によって厚み５ｎｍ〜３０ｎｍ程度に形成されている。さらに、Ｌ０記録層１４３は、一例として、Ｇｅ、ＳｂおよびＴｅ等を含む合金によって厚み５ｎｍに形成されている。この場合、この光ディスク１００では、Ｌ０層１２０（Ｌ０記録層１２３）に対する記録データの記録再生時におけるレーザービームＬａの照射、およびその際に反射層１２１によって反射された戻り光Ｌｂの通過（透過）を許容するために、Ｌ１層１４０を構成する各層の厚みがＬ０層１２０を構成する各層の厚みよりも薄厚となっている。表面保護層１５０は、紫外線硬化型の樹脂等で形成されたカバー層１５１と、酸化シリコンおよび潤滑剤等で構成されたハードコート層１５２とが基材１１０の側からこの順で形成されて構成されている。
【００２３】
なお、実際の光ディスク１００においては、上記の各層以外にも各種の機能層（防湿層、透過率調整層およびレーベル層など）が存在するが、本発明についての理解を容易とするために、これら各種機能層に関する図示および説明を省略する。また、同図では、本発明についての理解を容易とするために、基材１１０の一面に形成された各層の厚みの比率を実際の比率とは相違する比率で図示している。この場合、図３に示すように、Ｌ０層１２０には、一例として、バーストカッティングエリアＡ００、リードインエリアＡ０１、データ記録エリアＡ０２およびアウターゾーンＡ０３が内周から外周にかけてこの順で規定されて構成されている。また、Ｌ１層１４０には、一例として、リードアウトエリアＡ１１、データ記録エリアＡ１２およびアウターゾーンＡ１３が内周から外周にかけてこの順で規定されて構成されている。この場合、バーストカッティングエリアＡ００には、光ディスク１００の製造時に各光ディスク１００毎に付与された識別番号（固有の識別番号）や、光ディスク１００の種別を特定可能な情報（この場合、「書換え型の二層光ディスク」であるとの情報）などがバーコードによって記録されている。
【００２４】
リードインエリアＡ０１には、Ｌ０層１２０（Ｌ０記録層１２３）に対する記録データの記録再生時における光ディスク１００の許容回転速度（本発明における許容記録線速度）や、記録再生時にＬ０層１２０（Ｌ０記録層１２３）に向けて照射するレーザービームＬａの推奨パワー等を特定可能なディスク情報Ｄｄが記録される。また、リードインエリアＡ０１には、Ｌ０層１２０（Ｌ０記録層１２３）に記録されている記録データのファイル名、ファイルサイズおよび記録位置等を特定可能なファイル管理情報Ｄｆが記録される。この場合、本発明の実施の形態に係る記録再生装置１では、上記の許容記録線速度以下の線速度で各記録データを記録したか（通常記録したか）、許容記録線速度よりも速い線速度で各記録データを記録したか（高速記録したか）、許容記録線速度よりも速い線速度で記録した記録データに他の記録データを上書き記録したか（高速記録した領域に上書き記録したか）を特定可能な情報をファイル管理情報Ｄｆの一部としてリードインエリアＡ０１に記録する構成が採用されている。なお、以下の説明においては、記録データの記録時においてその記録データをどのように記録したかをファイル管理情報Ｄｆの一部として記録する処理についての説明を省略する。
【００２５】
また、この光ディスク１００では、リードインエリアＡ０１に記録されるディスク情報Ｄｄおよびファイル管理情報ＤｆがアウターゾーンＡ０３にも同様にして記録される。さらに、リードインエリアＡ０１内には、ＯＰＣエリアＡ０ｏが設けられている。このＯＰＣエリアＡ０ｏは、後述するようにして光ディスク１００に対する記録データの記録時に実行されるデータ記録処理１０（図５参照）において、Ｌ０層１２０（Ｌ０記録層１２３）に向けて照射すべきレーザービームＬａの照射パワーやパルス形状等を最適化するためのＯＰＣ処理を実行するための領域（記録データのテスト記録を行って最適な記録条件を取得するための領域：本発明における最適記録条件取得処理用領域の一例）であって、データ記録エリアＡ０２と同様にして、各種のデータ（最適記録条件取得処理用の記録データ）を記録可能に構成されている。
【００２６】
リードアウトエリアＡ１１は、Ｌ０層１２０におけるリードインエリアＡ０１と同様にして使用される領域であって、Ｌ１層１４０（Ｌ１記録層１４３）に対する記録データの記録再生時における許容記録線速度や、Ｌ１層１４０（Ｌ１記録層１４３）に向けて照射するレーザービームＬａの推奨パワー等を特定可能なディスク情報Ｄｄが記録される。また、リードアウトエリアＡ１１には、Ｌ１層１４０（Ｌ１記録層１４３）に記録されている記録データに関するファイル管理情報Ｄｆが記録される。なお、この光ディスク１００では、リードアウトエリアＡ１１に記録されるディスク情報Ｄｄおよびファイル管理情報ＤｆがアウターゾーンＡ１３にも同様にして記録される。また、リードアウトエリアＡ１１内には、リードインエリアＡ０１内のＯＰＣエリアＡ１ｏと同様の機能を有するＯＰＣエリアＡ１ｏ（本発明における最適記録条件取得処理用領域の他の一例）が設けられている。データ記録エリアＡ０２，Ａ１２には、後述するようにして、レーザービームＬａの照射によって各種の記録マークが形成されることによって記録データが記録される。アウターゾーンＡ０３には、上記したように、リードインエリアＡ０１内のディスク情報Ｄｄおよびファイル管理情報Ｄｆと同様のディスク情報Ｄｄおよびファイル管理情報Ｄｆが記録される。また、アウターゾーンＡ１３には、上記したように、リードアウトエリアＡ１１内のディスク情報Ｄｄおよびファイル管理情報Ｄｆと同様のディスク情報Ｄｄおよびファイル管理情報Ｄｆが記録される。
【００２７】
次に、記録再生装置１によって光ディスク１００に記録データを記録する際のデータ記録方法について、図面を参照して説明する。
【００２８】
この記録再生装置１では、光ディスク１００がセットされたときに、制御部５が記憶部６に記憶されている動作プログラムＤ１に従い、まず、回転機構２を制御して（制御信号Ｓ１を出力して）光ディスク１００を所定の線速度で回転させると共に、移動機構３を制御して（制御信号Ｓ２を出力して）ピックアップ４をバーストカッティングエリアＡ００の上方に移動させる。次いで、制御部５は、ピックアップ４を制御して（制御信号Ｓ３を出力して）光ディスク１００に向けてレーザービームＬａを照射させる。この際には、バーストカッティングエリアＡ００に記録されている光ディスク１００の識別番号や種別に関する情報に応じた戻り光Ｌｂがピックアップ４によって受光され、その受光レベルに応じた受光レベル信号Ｓ４がピックアップ４から制御部５に出力される。一方、制御部５は、ピックアップ４から出力された受光レベル信号Ｓ４を信号処理することにより、光ディスク１００の識別番号や、光ディスク１００が書換え型の二層光ディスクであるとの情報を取得する。なお、以下の説明においては、各種データの記録再生時における移動機構３によるピックアップ４の移動やピックアップ４によるレーザービームＬａの照射に関する説明を省略する。
【００２９】
一方、外部装置からの要求に従い、光ディスク１００に対して記録データを記録する際には、制御部５は、動作プログラムＤ１に従って図５に示すデータ記録処理１０を開始する。このデータ記録処理１０では、制御部５は、まず、Ｌ０層１２０のリードインエリアＡ０１およびＬ１層１４０のリードアウトエリアＡ１１から管理情報（ディスク情報Ｄｄおよびファイル管理情報Ｄｆ等）を読み出す（ステップ１１）。次いで、制御部５は、取得した管理情報に基づいて光ディスク１００がブランクディスク（未使用のディスク、または、記録データの記録後に全域を初期化したディスク）であると特定すると共に（ステップ１２）、外部装置によって光ディスク１００に対する記録データの高速記録の実行を許容されているか否かを判別する（ステップ１３）。この場合、この記録再生装置１では、光ディスク１００がブランクディスクのとき、およびデータ記録エリアＡ０２，Ａ１２内における記録データの未記録領域に対して記録データを記録するときのいずれかに限り、光ディスク１００に対して規定されている許容記録線速度（一例として、「２倍速」）よりも速い線速度で光ディスク１００を回転させた状態で記録データを記録することが可能に構成されている。したがって、制御部５は、外部装置によって高速記録の実行を許容されているときには、記録データの記録に要する時間の短縮を図るべく、光ディスク１００（この例では、ブランクディスク）に対する記録データの高速記録を実行する。
【００３０】
具体的には、制御部５は、まず、Ｌ０層１２０のＬ０記録層１２３に記録データを高速記録するために、ＯＰＣ処理を実行する（ステップ１４）。このＯＰＣ処理では、制御部５は、回転機構２を制御して上記の許容記録線速度よりも速い線速度（一例として、６倍速：本発明における「第１の線速度」の一例）で光ディスク１００を回転させる。次いで、制御部５は、Ｌ０層１２０におけるＯＰＣエリアＡ０ｏに各種の照射パワーでレーザービームＬａを照射してＯＰＣ処理用の記録マーク（図示せず）を形成する。また、制御部５は、形成した各記録マークをＯＰＣエリアＡ０ｏから読み出させ、その際にピックアップ４から出力される受光レベル信号Ｓ４に基づき、Ｌ０層１２０（データ記録エリアＡ０２）に対して上記の第１の線速度（この例では、６倍速）で記録データを記録するのに適したレーザービームＬａの照射パワーを取得し、その取得した値を照射パワー情報Ｄ２として記憶部６に記憶させる。
【００３１】
この場合、図６に示すように、この種の光ディスク１００では、記録データの記録時（記録マークの形成時）に光ディスク１００に向けて照射するレーザービームＬａの照射パワー（記録パワー）に応じて記録データの記録部位（記録マークの形成部位）からの再生信号におけるジッタが相違する。なお、同図および後に参照する図７，８では、許容記録線速度以下の所定の線速度（一例として、２倍速：本発明における「第２の線速度」の一例）で回転させた状態の光ディスク１００の未記録領域に対して記録データを通常記録する際に照射するレーザービームＬａのパワーとジッタとの関係を黒色の丸でプロットすると共に、パワーとジッタとの相関関係についての理解を容易とするために各黒色の丸を実線で結んで図示している。また、図６〜８では、許容記録線速度よりも速い線速度（一例として、図６，７では６倍速で、図８では、４倍速）で回転させた状態の光ディスク１００の未記録領域に対して記録データを高速記録する際に照射するレーザービームＬａのパワーとジッタとの関係を黒色の四角でプロットすると共に、パワーとジッタとの相関関係についての理解を容易とするために各黒色の四角を一点鎖線で結んで図示している。さらに、図６〜８では、許容記録線速度よりも速い線速度（一例として、図６，７では６倍速で、図８では、４倍速）で回転させた状態で記録データを高速記録した既記録領域に対して、許容記録線速度以下の所定の線速度（一例として、２倍速）で光ディスク１００を回転させた状態で記録データを上書き記録する際に照射するレーザービームＬａのパワーとジッタとの関係を黒色の三角でプロットすると共に、パワーとジッタとの相関関係についての理解を容易とするために各黒色の三角を破線で結んで図示している。
【００３２】
また、図６に黒色の四角および一点鎖線で示すように、この光ディスク１００では、未記録状態のＬ０層１２０（Ｌ０記録層１２３）に対して第１の線速度（この例では、６倍速）で光ディスク１００を回転させた状態で記録データを記録する際に照射するレーザービームＬａの照射パワーが１３ｍＷから１５ｍＷの範囲内のときに、レーザービームＬａの照射によって記録マークを形成した部位からの再生信号のジッタが８．５以下の良好な値となる。この場合、この光ディスク１００では、第１の線速度で回転させた状態の光ディスク１００におけるＬ０層１２０に記録データを記録する際のレーザービームＬａの照射パワーが１４．０ｍＷのときに、ジッタの値が最も低い値（最も良好な値）となる。したがって、制御部５は、第１の線速度（６倍速）で光ディスク１００を回転させている状態においてＬ０層１２０（Ｌ０記録層１２３）のデータ記録エリアＡ０２に記録データを高速記録する際のレーザービームＬａの最適記録パワー（高速記録用パワー）Ｐ０Ｂが１４ｍＷであるとする。
【００３３】
なお、実際のＯＰＣ処理では、図６に黒色の四角および一点鎖線で示すように、レーザービームＬａの照射パワーを１２ｍＷ以下の所定パワーから１８ｍＷ以上の所定パワーまでの広い範囲に亘って変更するのではなく、一例として、リードインエリアＡ０１から読み出したディスク情報Ｄｄ等によって特定される推奨パワーを中心とする数ｍＷの範囲内で照射パワーを小刻みに変更して上記の最適記録パワーＰ０Ｂを取得する。このＯＰＣ処理時におけるレーザービームＬａの照射パワーの変更範囲については、以下に説明する各ＯＰＣ処理時においても同様とする。次いで、制御部５は、回転機構２を制御して光ディスク１００を第１の線速度（この例では、６倍速）で回転させると共に、移動機構３を制御してピックアップ４をデータ記録エリアＡ０２の例えば最内周部位に移動させる。続いて、制御部５は、ピックアップ４を制御して、取得した最適記録パワーＰ０Ｂに調整したレーザービームＬａをＬ０層１２０（Ｌ０記録層１２３）に向けて照射させることによって記録データを高速記録させる（ステップ１５）。この場合、制御部５は、許容記録線速度よりも速い線速度で光ディスク１００を回転させた状態においては、ピックアップ４を制御して、一例として、ブロックパルス（ｍｏｎｏパルス）状にレーザービームＬａを照射させる。この後、記録すべき記録データの記録を完了したときに、制御部５は、このデータ記録処理１０を終了する。
【００３４】
一方、外部装置によって高速記録の実行を許容されていないときには（ステップ１３）、制御部５は、光ディスク１００（この例では、ブランクディスク）に対する記録データの通常記録を実行する。具体的には、制御部５は、まず、Ｌ０層１２０のＬ０記録層１２３に記録データを通常の速度で記録するために、ＯＰＣ処理を実行する（ステップ１６）。このＯＰＣ処理では、制御部５は、回転機構２を制御して上記の許容記録線速度以下の線速度（一例として、２倍速：本発明における「第２の線速度」の一例）で光ディスク１００を回転させる。次いで、制御部５は、Ｌ０層１２０におけるＯＰＣエリアＡ０ｏに各種の照射パワーでレーザービームＬａを照射してＯＰＣ処理用の記録マーク（図示せず）を形成する。また、制御部５は、形成した各記録マークをＯＰＣエリアＡ０ｏから読み出させ、その際にピックアップ４から出力される受光レベル信号Ｓ４に基づき、Ｌ０層１２０（データ記録エリアＡ０２）に対して上記の第２の線速度（この例では、２倍速）で記録データを記録するのに適したレーザービームＬａの照射パワーを取得して照射パワー情報Ｄ２として記憶部６に記憶させる。
【００３５】
具体的には、図６に黒色の丸および実線で示すように、この光ディスク１００では、未記録状態のＬ０層１２０（Ｌ０記録層１２３）に対して第２の線速度（この例では、２倍速）で光ディスク１００を回転させた状態で記録データを記録する際に照射するレーザービームＬａの照射パワーが１１ｍＷから１５ｍＷの範囲内のときに、レーザービームＬａの照射によって記録マークを形成した部位からの再生信号のジッタが８．５以下の良好な値となり、照射パワーが１２．０ｍＷのときに、ジッタの値が最も低い値（最も良好な値）となる。したがって、制御部５は、第２の線速度（２倍速）で光ディスク１００を回転させている状態においてＬ０層１２０（Ｌ０記録層１２３）のデータ記録エリアＡ０２に記録データを通常記録する際のレーザービームＬａの最適記録パワー（通常記録用パワー）Ｐ０Ａが１２ｍＷであるとする。
【００３６】
次いで、制御部５は、回転機構２を制御して光ディスク１００を第２の線速度（この例では、２倍速）で回転させると共に、移動機構３を制御してピックアップ４をデータ記録エリアＡ０２の例えば最内周部位に移動させる。続いて、制御部５は、ピックアップ４を制御して、取得した最適記録パワーＰ０Ａに調整したレーザービームＬａをＬ０層１２０（Ｌ０記録層１２３）に向けて照射させることによって記録データを通常記録させる（ステップ１７）。この場合、制御部５は、許容記録線速度以下の線速度で光ディスク１００を回転させた状態においては、ピックアップ４を制御して、複数の短パルスからなるパルス列状（一例として、Ｎ／２パルス）のレーザービームＬａを照射させる。この後、記録すべき記録データの記録を完了したときに、制御部５は、このデータ記録処理１０を終了する。
【００３７】
また、記録再生装置１にセットされている光ディスク１００がブランクディスクではないとき（Ｌ０層１２０およびＬ１層１４０のいすれかに記録データが既に記録されているとき）には（ステップ１２）、制御部５は、外部装置によって、Ｌ０層１２０およびＬ１層１４０（データ記録エリアＡ０２，Ａ１２）の未記録領域に記録データを記録する（記録データを追記する）と指示されているか、Ｌ０層１２０およびＬ１層１４０（データ記録エリアＡ０２，Ａ１２）の既記録領域に記録データを上書き記録すると指示されているかを判別する（ステップ１８）。この場合、未記録領域に記録データを追記する旨を指示されていたときには、制御部５は、記録データを高速記録するか通常記録するかを判別する（ステップ１３）。この際に、外部装置によって高速記録の実行が許容されていたときには、制御部５は、前述したブランクディスクに対する記録データの高速記録時と同様にして、ＯＰＣ処理によって高速記録用パワーを取得して照射パワー情報Ｄ２として記憶部６に記憶させ（ステップ１４）、高速記録用パワーに調整したレーザービームＬａの照射によって未記録領域に記録データを追記して（ステップ１５）、このデータ記録処理１０を終了する。
【００３８】
この際に、未記録領域がＬ１層１４０（データ記録エリアＡ１２）内に存在するときには、制御部５は、上記のＯＰＣ処理として、Ｌ１層１４０におけるリードアウトエリアＡ１１内のＯＰＣエリアＡ１ｏを使用してＬ１層１４０（データ記録エリアＡ１２）に対する高速記録用パワーを取得する。具体的には、図７に黒色の四角および一点鎖線で示すように、この光ディスク１００では、Ｌ１層１４０（Ｌ１記録層１４３）の未記録領域に対して第１の線速度（この例では、６倍速）で光ディスク１００を回転させた状態で記録データを記録する際に照射するレーザービームＬａの照射パワーが１０ｍＷおよび１１ｍＷのときに、レーザービームＬａの照射によって記録マークを形成した部位からの再生信号のジッタが８．５以下の良好な値となり、照射パワーが１０．０ｍＷのときに、ジッタの値が最も低い値（最も良好な値）となる。したがって、制御部５は、第１の線速度（６倍速）で光ディスク１００を回転させている状態においてＬ１層１４０（Ｌ１記録層１４３）のデータ記録エリアＡ１２に記録データを高速記録する際のレーザービームＬａの最適記録パワー（高速記録用パワー）Ｐ１Ｂが１０ｍＷであるとしてレーザービームＬａの照射パワーを調整する。
【００３９】
また、ブランクディスクではない光ディスク１００に対する記録データの記録に際して外部装置によって高速記録が許容されていないときには、制御部５は、前述したブランクディスクに対する記録データの通常の記録時と同様にして、ＯＰＣ処理によって通常記録用パワーを取得して照射パワー情報Ｄ２として記憶部６に記憶させ（ステップ１６）、通常記録用パワーに調整したレーザービームＬａの照射によって未記録領域に記録データを追記して（ステップ１７）、このデータ記録処理１０を終了する。この際に、未記録領域がＬ１層１４０（データ記録エリアＡ１２）内に存在するときには、制御部５は、上記のＯＰＣ処理として、Ｌ１層１４０におけるリードアウトエリアＡ１１内のＯＰＣエリアＡ１ｏを使用してＬ１層１４０（データ記録エリアＡ１２）に対する通常記録用パワーを取得する。
【００４０】
具体的には、図７に黒色の丸および実線で示すように、この光ディスク１００では、Ｌ１層１４０（Ｌ１記録層１４３）の未記録領域に対して第２の線速度（この例では、２倍速）で光ディスク１００を回転させた状態で記録データを記録する際に照射するレーザービームＬａの照射パワーが９ｍＷから１１ｍＷの範囲内のときに、レーザービームＬａの照射によって記録マークを形成した部位からの再生信号のジッタが８．５以下の良好な値となり、照射パワーが１０．０ｍＷのときに、ジッタの値が最も低い値（最も良好な値）となる。したがって、制御部５は、第２の線速度（２倍速）で光ディスク１００を回転させている状態においてＬ１層１４０（Ｌ１記録層１４３）のデータ記録エリアＡ１２に記録データを通常速度で記録する際のレーザービームＬａの最適記録パワー（通常記録用パワー）Ｐ１Ａが１０ｍＷであるとしてレーザービームＬａの照射パワーを調整する。
【００４１】
一方、ブランクディスクではない光ディスク１００におけるＬ０層１２０（データ記録エリアＡ０２）およびＬ１層１４０（データ記録エリアＡ１２）のいずれかに記録データを上書き記録する際には（ステップ１８）、制御部５は、前述したファイル管理情報Ｄｆに基づき、記録データを上書き記録する領域（データ記録エリアＡ０２，Ａ１２内の所定の領域）が、通常記録によって記録データが記録された領域（第２の線速度で回転させた状態で記録データが記録された領域）であるか、高速記録によって記録データが記録された領域（第１の線速度で回転させた状態で記録データが記録された領域）であるか、高速記録によって記録した記録データに他の記録データが上書き記録された領域（上書き記録用パワーに調整したレーザービームＬａの照射によって記録マークが形成されて記録データが上書き記録された領域）であるかを判別する（ステップ１９）。
【００４２】
この際に、通常記録によって記録データが記録された領域（本発明における第３の既記録領域）に記録データを上書き記録するときには、制御部５は、前述したブランクディスクの光ディスク１００に対する記録データの通常記録時、および光ディスク１００における未記録領域に対する記録データの通常記録時と同様にして、ＯＰＣ処理によって通常記録用パワー（最適記録パワーＰ０Ａ，Ｐ１Ａのいずれか）を取得して照射パワー情報Ｄ２として記憶部６に記憶させ（ステップ１６）、通常記録用パワーに調整したレーザービームＬａの照射によって既記録領域に記録データを上書き記録して（光ディスク１００等の書換え型の光記録媒体に対する通常の上書き記録の実行：ステップ１７）、このデータ記録処理１０を終了する。この場合、第２の線速度（例えば２倍速）で回転させた状態において通常記録用パワーに調整したレーザービームＬａを照射することで記録データを記録した領域内の記録マークＭａは、その幅Ｗａが、第１の線速度（例えば６倍速）で回転させた状態において高速記録用パワーに調整したレーザービームＬａを照射することで記録データを記録した領域内の記録マークＭｂの幅Ｗｂよりも狭くなっている。したがって、上記のようにＯＰＣ処理によって取得した通常記録時の最適記録パワーＰ０Ａ，Ｐ１Ａとなるように調整したレーザービームＬａの照射によって記録データを上書き記録したとき、すなわち、記録マークＭａの形成領域に記録マークＭａを重ねて形成したときには、上書き記録領域内には、幅Ｗａの記録マークＭａだけが存在することとなり、ジッタが悪化する事態が回避される。
【００４３】
一方、高速記録によって記録データが記録された領域（本発明における第１の既記録領域）、および高速記録によって記録された記録データに他の記録データが上書き記録された領域（本発明における第２の既記録領域）のいずれか（一例として、高速記録によって記録データが記録された領域）に記録データを上書き記録するときには、制御部５は、まず、上書き記録時に照射するレーザービームＬａの照射パワーを求めるためのＯＰＣ処理を実行するＯＰＣエリアＡ０ｏ，Ａ１ｏに、本発明における最適記録条件取得処理用の記録データに相当するダミーデータを記録する（ステップ２０）。具体的には、制御部５は、回転機構２を制御して前述した許容記録線速度よりも速い線速度（本発明における「第１の線速度」：一例として、６倍速）で光ディスク１００を回転させる。次いで、制御部５は、例えばＬ０層１２０におけるＯＰＣエリアＡ０ｏに前述した最適記録パワーＰ０Ｂ（高速記録用パワー）に調整したレーザービームＬａを照射してダミーデータを構成する記録マーク（図示せず）を形成する。なお、記録データを上書きすべき対象がＬ１層１４０のデータ記録エリアＡ１２内のときには、制御部５は、ＯＰＣエリアＡ１ｏに対して上記のダミーデータを記録する。
【００４４】
次いで、制御部５は、ダミーデータの記録が完了したＯＰＣエリアＡ０ｏにおいてＯＰＣ処理を実行することにより、記録データが高速記録された領域（第１の既記録領域）、または、高速記録によって記録された記録データに他の記録データが上書き記録された領域（第２の既記録領域）に対する記録データの上書き記録時に照射するレーザービームＬａの最適記録パワー（上書き記録用パワー）を取得して（ステップ２１）、照射パワー情報Ｄ２として記憶部６に記憶させる。この場合、図６に黒色の三角および破線で示すように、前述した高速記録（６倍速）によって記録データを記録したＬ０層１２０（データ記録エリアＡ０２）内の所定領域に記録データを上書き記録する際には、光ディスク１００に向けて照射するレーザービームＬａの照射パワーに応じて記録データの上書き記録部位（記録マークの形成部位）からの再生信号におけるジッタが相違する。
【００４５】
具体的には、この光ディスク１００では、高速記録（６倍速）によって記録データが記録されているＬ０層１２０（データ記録エリアＡ０２）に対して第２の線速度（この例では、２倍速）で光ディスク１００を回転させた状態で記録データを上書き記録する際に照射するレーザービームＬａの照射パワーが１６ｍＷおよび１７ｍＷのいずれかのときに、レーザービームＬａの照射によって記録マークを形成した部位からの再生信号のジッタが８．５以下の良好な値となり、照射パワーが１７．０ｍＷのときに、ジッタの値が最も低い値（最も良好な値）となる。したがって、制御部５は、記録データを上書き記録しようとする領域がＬ０層１２０のデータ記録エリアＡ０２内の領域であるときには、レーザービームＬａの最適記録パワー（通常記録用パワー）Ｐ０Ｃが１７ｍＷであるとする。
【００４６】
また、図７に黒色の三角および破線で示すように、前述した高速記録（６倍速）によって記録データを記録したＬ１層１４０（データ記録エリアＡ１２）内の所定領域に記録データを上書き記録する際にも、光ディスク１００に向けて照射するレーザービームＬａの照射パワーに応じて記録データの上書き記録部位（記録マークの形成部位）からの再生信号におけるジッタが相違する。具体的には、この光ディスク１００では、高速記録（６倍速）によって記録データが記録されているＬ１層１４０（データ記録エリアＡ１２）に対して第２の線速度（この例では、２倍速）で光ディスク１００を回転させた状態で記録データを上書き記録する際に照射するレーザービームＬａの照射パワーが１１ｍＷから１２ｍＷの範囲内のときに、レーザービームＬａの照射によって記録マークを形成した部位からの再生信号のジッタが８．５以下の良好な値となり、照射パワーが１１．５ｍＷのときに、ジッタの値が最も低い値（最も良好な値）となる。したがって、制御部５は、記録データを上書き記録しようとする領域がＬ１層１４０のデータ記録エリアＡ１２内の領域であるときには、レーザービームＬａの最適記録パワー（通常記録用パワー）Ｐ１Ｃが１１．５ｍＷであるとする。
【００４７】
なお、上記の最適記録パワーＰ０Ｃ，Ｐ１Ｃについては、６倍速以外の高速記録によってダミーデータを記録した状態で実行されるＯＰＣ処理時と同様の値が取得される。具体的には、一例として、４倍速の高速記録によって記録データが記録されているＬ０層１２０（データ記録エリアＡ０２）に対して記録データを上書き記録する際には、図８に黒色の三角および破線で示すように、１７ｍＷに調整したレーザービームＬａを照射したときだけ、記録マークを形成した部位からの再生信号のジッタが８．５以下の良好な値となる。したがって、４倍速の高速記録によってＯＰＣエリアＡ０ｏ内にダミーデータを記録した状態でＯＰＣ処理を実行することにより、６倍速の高速記録によってＯＰＣエリアＡ０ｏ内にダミーデータを記録した状態でＯＰＣ処理を実行したときと同様にして、レーザービームＬａの最適記録パワー（通常記録用パワー）Ｐ０Ｃとして１７ｍＷとの値が取得される。
【００４８】
なお、発明者は、４倍速の高速記録によってＯＰＣエリアＡ１ｏ内にダミーデータを記録した状態でＯＰＣ処理を実行することにより、６倍速の高速記録によってＯＰＣエリアＡ１ｏ内にダミーデータを記録した状態でＯＰＣ処理を実行したときと同様にして、レーザービームＬａの最適記録パワー（通常記録用パワー）Ｐ１Ｃとして１１．５ｍＷとの値が取得されるのを確認している。この場合、前述したように、この種の光ディスク１００では、Ｌ１層１４０内の反射層１４１よりもＬ０層１２０内の反射層１２１の方が厚手に形成されている。このため、記録データの記録時（記録マークの形成時）にレーザービームＬａを照射したときに、Ｌ１層１４０よりもＬ０層１２０の方が熱の逃げ（反射層１２１，１４１による放熱）が生じ易くなっている。したがって、この記録再生装置１では、ＯＰＣエリアＡ０ｏ，Ａ１ｏにおいて上記のようにＯＰＣ処理を実行することで、Ｌ０層１２０に対する上書き記録時の最適記録パワーＰ０ＣがＬ１層１４０に対する上書き記録時の最適記録パワーＰ１１を超える記録パワーとして取得されることで、熱の逃げが生じ易いＬ０層１２０に対してもＬ１層１４０と同様にして十分な大きさの記録マークを形成することが可能となっている。
【００４９】
一方、制御部５は、取得した最適記録パワーＰ０Ｃ，Ｐ１Ｃに調整したレーザービームＬａをピックアップ４から照射させることにより、記録データが高速記録されている領域（または、高速記録によって記録された記録データに他の記録データが上書き記録された領域）に新たな記録データを上書き記録して（ステップ２２）、このデータ記録処理１０を終了する。この場合、図４に示すように、第１の線速度（例えば６倍速）で回転させた状態において高速記録用パワーに調整したレーザービームＬａを照射することで記録データを記録した領域内の記録マークＭｂは、その幅Ｗｂが、第２の線速度（例えば２倍速）で回転させた状態において高速記録用パワーに調整したレーザービームＬａを照射することで記録データを記録した領域内の記録マークＭａの幅Ｗａ（図９参照）よりも広くなっている。これに対して、上記の上書き記録用パワーに調整したレーザービームＬａを照射することで記録データを記録した領域内の記録マークＭｃ１，Ｍｃ２等（以下、区別しないときには「記録マークＭｃ」ともいう）は、通常記録用パワーを超える上書き記録用パワーのレーザービームＬａを照射したことにより、その幅Ｗｃが、上記の記録マークＭｂの幅Ｗｂよりも十分に広くなっている。
【００５０】
したがって、幅Ｗｂの記録マークＭｂが形成されている領域（６倍速の高速記録によって記録データが記録されている領域：本発明における第１の既記録領域）に対して最適記録パワー（上書き記録用パワー）Ｐ０Ｃ，Ｐ１Ｃに調整したレーザービームＬａの照射によって記録マークＭｃを形成することにより、同図における下図に示すように、記録マークＭｂに重ねて記録マークＭｃを形成した部位、および記録マークＭｂが形成されていない部位に記録マークＭｃを形成した部位の双方において、幅Ｗｃの記録マークＭｃだけが形成されることとなる。また、高速記録によって記録された記録データに他の記録データが上書き記録された領域（本発明における第２の既記録領域）には、上記のように、幅Ｗｃの記録マークＭｃだけが形成されることとなる。したがって、そのような領域に対する記録データの上書き記録時に最適記録パワー（上書き記録用パワー）Ｐ０Ｃ，Ｐ１Ｃに調整したレーザービームＬａを照射して記録マークＭｃを形成した際にも、幅Ｗｃの記録マークＭｃだけが形成された状態となる。この結果、上書き記録した記録データの記録部位に、幅Ｗａの記録マークＭａや幅Ｗｃの記録マークＭｃが混在する状態や、記録マークの回転方向の一部が幅Ｗａで他の一部が幅Ｗｃとなる事態が回避される。これにより、記録データを上書き記録した際に、その記録データを構成する記録マーク（この例では記録マークＭｃ）の形成部位のジッタが悪化する事態が回避される。
【００５１】
このように、この記録再生装置１および記録再生装置１によるデータ記録方法によれば、許容記録線速度よりも速い第１の線速度（この例では、６倍速）で回転させられた状態で記録データが記録された既記録領域（本発明における第１の既記録領域）に他の記録データを上書き記録するときに、第１の線速度（６倍速）で回転させた状態で光ディスク１００におけるＯＰＣエリアＡ０ｏ，Ａ１ｏ（最適記録条件取得処理用領域）に最適記録条件取得処理用の記録データ（ダミーデータ）を記録した後に、許容記録線速度以下の第２の線速度（この例では、２倍速）で光ディスク１００を回転させた状態でＯＰＣ処理（最適記録条件取得処理）を実行して既記録領域に他の記録データを上書き記録するときに記録マークＭｃを形成する際のレーザービームＬａの最適記録パワーＰ０Ｃ，Ｐ１Ｃ（上書き記録用パワー）を取得すると共に、第２の線速度（２倍速）で光ディスク１００を回転させた状態で最適記録パワーＰ０Ｃ，Ｐ１Ｃに調整したレーザービームＬａを光ディスク１００に射して記録マークＭｃを形成することにより、高速記録時に形成される記録マークＭｂの幅Ｗｂよりも幅広の記録マークＭｃ（または、記録マークＭｂの幅Ｗｂと同程度の幅の記録マーク）の形成によって記録データが上書き記録されるため、記録データが高速記録されている領域に対して、初期化処理等の煩雑な処理を実行することなく、しかも、ジッタの悪化を招くことなく記録データを上書き記録することができる。
【００５２】
また、この記録再生装置１および記録再生装置１によるデータ記録方法によれば、最適記録パワーＰ０Ｃ，Ｐ１Ｃ（上書き記録用パワー）に調整したレーザービームＬａの照射によって記録マークＭｃを形成して記録データを上書き記録した既記録領域に他の記録データを上書き記録するときに、第２の線速度（この例では、２倍速）で光ディスク１００を回転させた状態で最適記録パワーＰ０Ｃ，Ｐ１Ｃ（上書き記録用パワー）に調整したレーザービームＬａを光ディスク１００に照射して記録マークＭｃを形成することにより、既記録領域に形成されている記録マークＭｃと同じ幅Ｗｃの記録マークＭｃの形成によって記録データが上書き記録されるため、初期化処理等の煩雑な処理を実行することなく、しかも、ジッタの悪化を招くことなく本発明における第２の既記録領域に記録データを上書き記録することができる。
【００５３】
さらに、この記録再生装置１および記録再生装置１によるデータ記録方法によれば、第２の線速度（この例では、２倍速）で回転させた状態で光ディスク１００における未記録領域に記録データを記録するとき、および第２の線速度で回転させた状態で未記録領域に記録データが記録された第３の既記録領域に第２の線速度で回転させた状態で他の記録データを上書き記録するときに、第２の線速度（２倍速）で回転させた状態でＯＰＣ処理を実行して光ディスク１００を第２の線速度（２倍速）で回転させた状態で記録マークＭｂを形成する際のレーザービームＬａの最適記録パワー最適記録パワーＰ０Ａ，Ｐ１Ａを取得すると共に、取得した最適記録パワーＰ０Ａ，Ｐ１Ａに調整したレーザービームＬａを照射して記録マークＭａを形成することにより、例えば、第２の線速度で回転させられた状態で記録データが記録された既記録領域に他の記録データを上書き記録するとき、および第２の線速度で回転させた状態で光ディスク１００における未記録領域に記録データを記録するときにも最適記録パワー（上書き記録用パワー）Ｐ０Ｃ，Ｐ１Ｃに調整したレーザービームＬａを照射する方法および構成とは異なり、最適記録パワー（上書き記録用パワー）Ｐ０Ｃ，Ｐ１Ｃ以下の記録パワーに調整したレーザービームＬａの照射によって記録マークを記録することができるときには、必要以上に大きな記録用パワーのレーザービームＬａの照射を回避することができるため、光ディスク１００に対する記録データの上書き記録回数を十分に高めることができる。
【００５４】
なお、本発明は、上記した構成に限定されない。例えば、上記の記録再生装置１では、記録データが高速記録されている領域に対して他の記録データを上書き記録するとき、および高速記録した記録データに他の記録データが上書き記録された領域にさらに他の記録データを上書き記録するときだけ、本発明における上書き記録用パワーに相当する最適記録パワーＰ０Ｃ，Ｐ１Ｃを取得して最適記録パワーＰ０Ｃ，Ｐ１Ｃに調整したレーザービームＬａを照射するデータ記録方法および構成を採用しているが、どのような記録方法で記録データが記録された領域であるかを問わず、本発明における上書き記録用パワーに相当する最適記録パワーＰ０Ｃ，Ｐ１Ｃを取得して最適記録パワーＰ０Ｃ，Ｐ１Ｃに調整したレーザービームＬａを照射するデータ記録方法および構成を採用することもできる。このような構成および方法を採用することにより、記録データの上書き記録に際して、既記録データがどのような方法で記録された記録データであるかを判別する処理（上記のデータ記録処理１０におけるステップ１９）を不要とすることができるため、記録データの上書き記録を一層迅速かつ容易に実行することができる。
【００５５】
また、許容記録線速度よりも速い線速度で回転させた状態においては、ＯＰＣ処理によって取得した上記の最適記録パワーＰ０Ｂ，Ｐ１Ｂに調整したレーザービームＬａの照射によって記録データを記録し、許容記録線速度以下の線速度で回転させた状態においては、既記録領域に対する記録データの上書き記録か、未記録領域に対する記録データの記録であるかを問わず、上記のＯＰＣ処理によって取得した最適記録パワーＰ０Ｃ，Ｐ１Ｃに調整したレーザービームＬａの照射によって記録データを記録するデータ記録方法および構成を採用することもできる。このような構成および方法を採用することにより、２種類の最適記録パワー（この例では、最適記録パワーＰ０Ｂ，Ｐ１Ｂおよび最適記録パワーＰ０Ｃ，Ｐ１Ｃ）を取得しておくことで、光ディスク１００に対して各種の記録方法で記録データを記録することができるため、制御部５用の動作プログラムＤ１を簡易に構築することができる。
【図面の簡単な説明】
【００５６】
【図１】記録再生装置１のブロック図である。
【図２】光ディスク１００の層構造の一例を示す断面図である。
【図３】光ディスク１００におけるＬ０層１２０およびＬ１層１４０の各領域について説明するための説明図である。
【図４】記録マークＭｂ１，Ｍｂ２の幅Ｗｂと記録マークＭｃ１，Ｍｃ２の幅Ｗｃとの関係について説明するための説明図である。
【図５】データ記録処理１０のフローチャートである。
【図６】Ｌ０層１２０に対する記録条件について説明するための説明図である。
【図７】Ｌ１層１４０に対する記録条件について説明するための説明図である。
【図８】Ｌ０層１２０に対する他の記録条件について説明するための説明図である。
【図９】記録マークＭａ１，Ｍａ２の幅Ｗａと記録マークＭｂ１，Ｍｂ２の幅Ｗｂとの関係について説明するための説明図である。
【符号の説明】
【００５７】
１  記録再生装置
２  回転機構
４  ピックアップ
５  制御部
１０  データ記録処理
１００  光ディスク
１２０  Ｌ０層
１２３  Ｌ０記録層
１４０  Ｌ１層
１４３  Ｌ１記録層
Ａ０ｏ，Ａ１ｏ  ＯＰＣエリア
Ｄ１  動作プログラム
Ｄ２  照射パワー情報
Ｄｄ  ディスク情報
Ｄｆ  ファイル管理情報
Ｌａ  レーザービーム
Ｌｂ  戻り光
Ｍａ１，Ｍａ２，Ｍｂ１，Ｍｂ２，Ｍｃ１，Ｍｃ２  記録マーク
Ｐ０Ａ〜Ｐ０Ｃ，Ｐ１Ａ〜Ｐ１Ｃ，Ｐ２Ａ〜Ｐ２Ｃ  最適記録パワー
Ｓ１〜Ｓ３  制御信号
Ｓ４  受光レベル信号
Ｗａ〜Ｗｃ  幅
【図１】
2010118127.tif 000003
【図２】
2010118127.tif 000004
【図３】
2010118127.tif 000005
【図４】
2010118127.tif 000006
【図５】
2010118127.tif 000007
【図６】
2010118127.tif 000008
【図７】
2010118127.tif 000009
【図８】
2010118127.tif 000010
【図９】
2010118127.tif 000011